(57)【特許請求の範囲】
【請求項１】
開口部を有する収納家具本体に該開口部を開閉する扉の基端部が蝶番を介して揺動可能に支持され、扉の先端側に固定された磁性体を有し、該磁性体を吸着保持して扉を全閉位置と該全閉位置よりも開き側に位置する開き待機位置との２段階に保持可能なプッシュ式マグネットキャッチが設けられ、扉が上記開き待機位置にあるときに該扉の先端側の指掛け端部に指を掛けて引くことで、扉を開くようにした収納家具の扉構造において、
上記全閉位置にある扉の上記指掛け側端部に近接状態で対向する近接対向部材が全閉位置にある扉と面一となるように配置されて設けられており、
上記近接対向部材において扉の指掛け端部に対向する側の表面側角部には、扉が上記開き待機位置にあって該扉と近接対向部材との間から指を扉の指掛け端部裏面側に挿入したときに、近接対向部材の上記表面側角部において該指と干渉する部分を切り欠くことで、指を該扉の指掛け端部裏面側に近接対向部材と干渉することなく挿入可能としかつ扉の全閉位置及び開き待機位置の間の開き量と上記切欠き量とに基づいて設定される隙間を扉と近接対向部材との間に形成するための指挿入切欠きが該指挿入切欠きの裏面側に近接対向部材の表裏面と直交する方向の端面を有するように設けられ、
上記扉の先端側の指掛け端部の表面側角部には、該表面側角部をその裏面側に扉の表裏面と直交する方向に延びる端面が残るように切り欠いた傾斜面が設けられていることを特徴とする収納家具の扉構造。
【請求項２】
開口部を有する収納家具本体に該開口部を開閉する扉の基端部が蝶番を介して揺動可能に支持され、扉の先端側に固定された磁性体を有し、該磁性体を吸着保持して扉を全閉位置と該全閉位置よりも開き側に位置する開き待機位置との２段階に保持可能なプッシュ式マグネットキャッチが設けられ、扉が上記開き待機位置にあるときに該扉の先端側の指掛け端部に指を掛けて引くことで、扉を開くようにした収納家具の扉構造において、
上記全閉位置にある扉の上記指掛け側端部に近接状態で対向する近接対向部材が全閉位置にある扉と直交するように配置されて設けられており、
上記近接対向部材において扉の指掛け端部に対向する側の裏面側角部には、扉が上記開き待機位置にあって該扉と近接対向部材との間から指を扉の指掛け端部裏面側に挿入したときに、近接対向部材の上記裏面側角部において該指と干渉する部分を切り欠くことで、指を該扉の指掛け端部裏面側に近接対向部材と干渉することなく挿入可能としかつ扉の全閉位置及び開き待機位置の間の開き量と上記切欠き量とに基づいて設定される隙間を扉と近接対向部材との間に形成するための指挿入切欠きが該指挿入切欠きに連続しかつ扉と直交する方向の裏面を有するように設けられ、
上記扉の先端側の指掛け端部の表面側角部には、該表面側角部をその裏面側に扉の表裏面と直交する方向に延びる端面が残るように切り欠いた傾斜面が設けられていることを特徴とする収納家具の扉構造。
【請求項３】
請求項１又は２において、
指挿入切欠きは、近接対向部材の特定部位のみに限定して形成されていることを特徴とする収納家具の扉構造。
【請求項４】
請求項１又は３において、
近接対向部材は、扉に隣接する他の隣接扉であることを特徴とする収納家具の扉構造。
【請求項５】
請求項２又は３において、
近接対向部材は、扉に隣接する天板又は側板であることを特徴とする収納家具の扉構造。
【請求項６】
請求項１〜５のいずれか１つにおいて、
指挿入切欠きは傾斜面であることを特徴とする収納家具の扉構造。
【請求項７】
請求項１〜５のいずれか１つにおいて、
指挿入切欠きは円弧面であることを特徴とする収納家具の扉構造。
【発明の詳細な説明】
【技術分野】
【０００１】
本発明は収納家具の扉構造に関し、特に、扉を閉じ位置に保持するためのプッシュ式マグネットキャッチが設けられたものに関する。
【背景技術】
【０００２】
従来、この種の収納家具の扉構造として、特許文献１に示されているように、収納棚や飾り棚等に取り付けられる扉用パネルの少なくとも上下２辺の裏面側角部に面取り部を形成することにより、この面取り部に指を入れて扉を開け得るようにし、取手を不要としたものが提案されている。
【０００３】
また、特許文献２には、キャビネットの開口縁一側の上下部にマグネットキャッチを、また中部にプッシュ式マグネットキャッチをそれぞれ設け、扉に各マグネットキャッチの受け座を設けることが記載されている。
【０００４】
上記特許文献２に示されるように、扉を閉じ位置に保持するプッシュ式マグネットキャッチが設けられていると、そのプッシュ式マグネットキャッチのストロークにより、扉が全閉位置と、その全閉位置よりも少し開き側に位置する開き待機位置との２段階に保持可能となる。全閉位置にある扉をさらに閉じ方向に押すことで、プッシュ式マグネットキャッチによる全閉位置でのロックが外れて扉がキャッチ内蔵のスプリングにより開き待機位置まで戻されて少し開いた状態となる。また、この開き待機位置で扉を押すと、再び全閉位置にロック保持される。このように、扉を押すことにより扉の閉じ位置が全閉位置と開き待機位置とを繰り返されるようになっている。そして、扉を開くときには、全閉位置にある扉を開き待機位置に移動させた後、その少し開いた扉の裏面側に指を掛けて扉を引くことで、扉を開くようになっている。
【先行技術文献】
【特許文献】
【０００５】
【特許文献１】特開平８−２１００３６号公報
【特許文献２】特開昭６０−１４８９７６号公報
【発明の概要】
【発明が解決しようとする課題】
【０００６】
ところが、このようにプッシュ式マグネットキャッチにより扉を閉じ位置に保持する構造では、扉を開く際、開き待機位置にあって少し開いた扉の裏面側に指を掛けて扉を引くので、指を扉の裏側に挿入するために扉の側方に他の扉や家具本体の一部が近接して対向配置されていると、扉が例えば２０ｍｍ程度で比較的厚いことから、その扉の裏側に指をスムーズに挿入することが困難となる。無理に指を挿入すると、その他の扉や家具本体の一部に指の裏が当たって痛むことがあり、収納家具の使い勝手が悪いという問題がある。
【０００７】
この問題は、扉と他の扉や家具本体の一部との隙間を大きくするように設計すれば解決するが、そうすると、その大きな隙間により収納家具全体の意匠性が損なわれるのは避けられない。また、扉に彫込み引手や手掛り（手当り）等の取手を設ける方法もあるが、取手が必須となるために意匠性に制約が生じる。
【０００８】
本発明は斯かる諸点に鑑みてなされたもので、その目的は、全閉位置の扉の側方に他の扉や家具本体の一部が近接して位置していてそれらの間の隙間が小さい場合でも、開き待機位置にある扉の裏側にスムーズに指を挿入できるようにし、収納家具全体の意匠性やその自由度を損なうことなく、収納家具の使用性を向上させることにある。
【課題を解決するための手段】
【０００９】
上記の目的を達成するために、この発明では、全閉位置にある扉に近接して対向する部材において、開き待機位置にある扉の裏側に指が挿入される際に、その指と干渉する部分に着目し、その干渉部分を切り欠くようにした。
【００１０】
具体的には、請求項１の発明では、開口部を有する収納家具本体に該開口部を開閉する扉の基端部（軸側端部）が蝶番を介して揺動可能に支持され、扉の先端側（揺動側端部）に固定された磁性体を有し、該磁性体を吸着保持して扉を全閉位置と該全閉位置よりも開き側に位置する開き待機位置との２段階に保持可能なプッシュ式マグネットキャッチが設けられ、扉が上記開き待機位置にあるときに該扉の先端側の指掛け端部に指を掛けて引くことで、扉を開くようにした収納家具の扉構造が前提である。
【００１１】
そして、上記全閉位置にある扉の上記指掛け側端部に近接状態で対向する近接対向部材が全閉位置にある扉と面一となるように配置されて設けられており、この近接対向部材において扉の指掛け端部に対向する側の表面側角部には、扉が上記開き待機位置にあって該扉と近接対向部材との間から指を扉の指掛け端部裏面側に挿入したときに、近接対向部材の上記表面側角部において該指と干渉する部分を切り欠くことで、指を該扉の指掛け端部裏面側に近接対向部材と干渉することなく挿入可能としかつ扉の全閉位置及び開き待機位置の間の開き量と上記切欠き量とに基づいて設定される隙間を扉と近接対向部材との間に形成するための指挿入切欠きが該指挿入切欠きの裏面側に近接対向部材の表裏面と直交する方向の端面を有するように設けられ、上記扉の先端側の指掛け端部の表面側角部には、該表面側角部をその裏面側に扉の表裏面と直交する方向に延びる端面が残るように切り欠いた傾斜面が設けられていることを特徴とする。
【００１２】
この請求項１の発明では、全閉位置にある扉の指掛け側端部に近接状態で対向する近接対向部材において扉の指掛け端部に対向する側の表面側角部に、扉が開き待機位置にあって該扉と近接対向部材との間から指を扉の指掛け端部裏面側に挿入したときに、近接対向部材の表面側角部において指と干渉する部分を切り欠くことで、指挿入切欠きが、その裏面側に近接対向部材の表裏面と直交する方向の端面を有するように設けられ、扉の先端側の指掛け端部の表面側角部には、その表面側角部を裏面側に扉の表裏面と直交する方向に延びる端面が残るように切り欠いた傾斜面が設けられ、この指挿入切欠きにより扉の指掛け側端部との間に、指を扉の指掛け端部裏面側に近接対向部材と干渉することなく挿入可能としかつ扉の全閉位置及び開き待機位置の間の開き量と切欠き量とに基づいて設定される大きな隙間が形成されるので、開き待機位置にある扉を開くために、その指掛け側端部裏側に指を挿入する際、その指の裏が近接対向部材にきつく当たることはなく、扉と近接対向部材との間に形成された隙間にスムーズに指を挿入することができ、よって収納家具の使い勝手を高めることができる。
【００１３】
また、近接対向部材に指挿入切欠きを設けることで、扉と近接対向部材との間の隙間を大きくしたり取手を設けたりする必要がなく、収納家具全体の意匠性やその自由度が損なわれることはない。
【００１４】
請求項２の発明では、上記請求項１の発明の前提の収納家具の扉構造において、全閉位置にある扉の指掛け側端部に近接状態で対向する近接対向部材が全閉位置にある扉と直交するように配置されて設けられており、この近接対向部材において扉の指掛け端部に対向する側の裏面側角部には、扉が開き待機位置にあって該扉と近接対向部材との間から指を扉の指掛け端部裏面側に挿入したときに、近接対向部材の上記裏面側角部において該指と干渉する部分を切り欠くことで、指を該扉の指掛け端部裏面側に近接対向部材と干渉することなく挿入可能としかつ扉の全閉位置及び開き待機位置の間の開き量と上記切欠き量とに基づいて設定される隙間を扉と近接対向部材との間に形成するための指挿入切欠きが該指挿入切欠きに連続しかつ扉と直交する方向の裏面を有するように設けられ、上記扉の先端側の指掛け端部の表面側角部には、該表面側角部をその裏面側に扉の表裏面と直交する方向に延びる端面が残るように切り欠いた傾斜面が設けられていることを特徴とする。
【００１５】
この請求項２の発明では、近接対向部材は、全閉位置にある扉と直交するように配置され、この全閉位置にある扉と直交する近接対向部材において扉の指掛け端部に対向する側の裏面側角部に、扉が開き待機位置にあって扉と近接対向部材との間から指を扉の指掛け端部裏面側に挿入したときに、近接対向部材の裏面側角部において指と干渉する部分を切り欠くことで、指挿入切欠きが設けられているので、請求項１の発明と同様の作用効果が得られる。すなわち、この指挿入切欠きにより扉の指掛け側端部との間に、指を扉の指掛け端部裏面側に近接対向部材と干渉することなく挿入可能としかつ扉の全閉位置及び開き待機位置の間の開き量と切欠き量とに基づいて設定される大きな隙間が形成され、開き待機位置にある扉を開くために、その指掛け側端部裏側に指を挿入する際、その扉と近接対向部材との間に形成された隙間にスムーズに指を挿入することができる。
【００１６】
請求項３の発明では、上記請求項１又は２の発明において、指挿入切欠きは、近接対向部材の特定部位のみに限定して形成されていることを特徴とする。
【００１７】
請求項４の発明では、上記請求項１又は３の発明において、近接対向部材は、扉に隣接する他の隣接扉とする。また、請求項５の発明では、請求項２又は３の発明において、近接対向部材は、扉に隣接する天板又は側板とする。
【００１８】
これら請求項４又は請求項５の発明では、扉に近接対向部材として他の扉や天板又は側板が隣接していても、上記請求項１又は２の発明と同様の作用効果を奏することができる。
【００１９】
請求項６の発明では、上記指挿入切欠きは傾斜面とする。また、請求項７の発明では、指挿入切欠きは円弧面とする。
【００２０】
これら請求項６又は請求項７の発明では、望ましい形状の指挿入切欠きが容易に得られる。
【発明の効果】
【００２１】
以上説明したように、請求項１〜７の発明によると、収納家具本体の揺動タイプの扉をプッシュ式マグネットキャッチにより全閉位置及び開き待機位置に保持可能とした扉構造において、全閉位置にある扉の先端側の指掛け側端部に近接状態で対向する近接対向部材に、開き待機位置にある扉の裏面側に指を挿入可能とする隙間を扉と近接対向部材との間に形成するための指挿入切欠きを設けたことにより、収納家具全体の意匠性やその自由度を損なうことなく、扉と近接対向部材との間に形成された隙間にスムーズに指を挿入して、収納家具の使い勝手を高めることができる。
【図面の簡単な説明】
【００２２】
【図１】図１は本発明の実施形態１に係る収納家具の正面図である。
【図２】図２は、収納家具の各扉の開閉構造を拡大して示す平面図である。
【図３】図３はプッシュ式マグネットキャッチの拡大平面図である。
【図４】図４は、指挿入切欠きが設けられた隣接扉の要部を拡大して示す平面図である。
【図５】図５は指挿入切欠きの変形例を示す図４相当図である。
【図６】図６は、扉が開き待機位置にあるときに、指を扉の指掛け端部裏面側に挿入可能とする隙間が扉と隣接扉との間に形成された状態を示す断面図である。
【図７】図７は実施形態２に係る収納家具の正面図である。
【図８】図８は、スライドカウンタが格納位置にあり、その前板の真下にある扉が全閉位置から開き待機位置に開いたときに、指を扉の指掛け端部裏面側に挿入可能とする隙間が扉と前板との間に形成される状態を示す側面図である。
【図９】図９は実施形態３を示す図６相当図である。
【発明を実施するための形態】
【００２３】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２４】
（実施形態１）
図１は本発明の実施形態１に係る収納家具Ｆｎを示す。この収納家具Ｆｎはリビングルーム等の室内の壁面に施工されるもので、室内に開口する開口部を有する矩形箱状の複数の収納室２，２，…が縦壁１ａ及び横壁１ｂによって区画された家具本体１と、この家具本体１の一部（図では中央部）の収納室２，２，…の各開口を開閉する揺動タイプの扉４，４，…とを備えている。
【００２５】
図２に示すように、各扉４は家具本体１に対し基本的に同じ支持構造で揺動可能に支持されている。すなわち、各扉４の左右端部の一方である基端部（軸側端部）が鉛直方向の揺動軸線を持つ蝶番５（ヒンジ）を介して揺動可能に支持されている。上記蝶番５は公知のものであり、図では簡略化して示している。
【００２６】
各扉４はプッシュ式マグネットキャッチ６により閉じ位置に保持される。このマグネットキャッチ６は、図３に示すようにキャッチ本体７と、磁性体としてのメッキ鋼板等からなる受板１２とからなる。キャッチ本体７は、例えば矩形箱状のケース８と、そのケース８に伸縮可能に支持されたスライダ９とを備えている。ケース８内には、図示しないが、スライダ９を収縮位置と伸長位置とに停止保持するロック機構と、伸長方向に付勢するばねとが設けられ、スライダ９の先端部には磁石部１０（マグネット）が設けられている。一方、上記受板１２は上記スライダ９の磁石部１０に吸着保持されるものである。
【００２７】
図６に示すように、上記受板１２は上記扉４の先端側（揺動側端部）裏面にビス止めにより固定されている。キャッチ本体７のケース８は、家具本体１の例えば横壁１ｂ（又は縦壁１ａ）に、扉４が閉じたときにスライダ９先端の磁石部１０が上記扉４裏面の受板１２に対向するようにビス止めにより取付固定されている。そして、プッシュ式マグネットキャッチ６は、キャッチ本体７におけるスライダ９の磁石部１０で受板１２を吸着保持した状態で、扉４を図６で仮想線にて示す全閉位置と、該全閉位置よりも少し開き側に位置する図６で実線にて示す開き待機位置との２段階に保持可能であり、スライダ９が収縮位置にロックされているときに扉４を全閉位置に保持し、この全閉位置で扉４を閉じ方向（図６で上方向）に押してスライダ９を収縮させたときに、ロック機構によるスライダ９の収縮位置でのロックが解除され、スライダ９が伸長位置に伸長して扉４を開き待機位置に移動させるようになっている。このようにプッシュ式マグネットキャッチ６によって扉４が開き待機位置にあるときに使用者が該扉４の先端側の上下方向に沿った端部からなる指掛け端部４ａに指ｆを掛けて引くことで、扉４が開くようになっている。このことで、扉４は彫込み引手や手掛り（手当り）等の取手を設けずに開閉操作される。
【００２８】
上記扉４が全閉位置にあるとき、その扉４の指掛け端部４ａ（先端部）には、その扉４と左右に隣接する隣接扉４′の基端部が近接状態で対向するように位置している。この隣接扉４′は近接対向部材を構成しており、全閉位置にある扉４と面一となるように配置されている。
【００２９】
図４及び図６に示すように、隣接扉４′の基端部（軸側端部）には、その表面側角部を隣接扉４′の上下端間の全体に亘り傾斜平面状に切り欠いてなる指挿入切欠き１５が設けられている。図４中、４′ａは隣接扉４′の基端部（軸側端部）裏面に形成された蝶番取付部である。また、図２及び図６に示すように、扉４の先端部にも、その表面側角部を扉４の上下端間の全体に亘り指挿入切欠き１５と同様に斜めに切り欠いてなる傾斜面４ｂが形成されており、扉４の左右両端部を同形状に切り欠くことで意匠性を高めるようにしている。
【００３０】
この隣接扉４′（近接対向部材）に設けられた指挿入切欠き１５は、図６に示すように、扉４が上記開き待機位置（全閉位置から少し開いた位置）にあるときに、使用者の指ｆを扉４の指掛け端部４ａ裏面側に挿入可能とする隙間Ｓを扉４と隣接扉４′（近接対向部材）との間に形成するためのものである。この扉４と隣接扉４′との間の隙間Ｓは、プッシュ式マグネットキャッチ６による扉４の全閉位置及び開き待機位置の間の開き量（キャッチ本体７のスライダ９のストローク量）と、指挿入切欠き１５の切欠き量とによって設定され、その隙間Ｓに指ｆが入るように設定される。
【００３１】
この実施形態では、例えば隣接扉４′（扉４）の厚さが１８ｍｍであり、その表面の隅角部を厚さ方向で７ｍｍとなり、傾斜角度θがθ＝４５°となるように切り欠くことで、指挿入切欠き１５を形成しており、上記扉４と隣接扉４′（近接対向部材）との間に形成される隙間Ｓが最大で１５ｍｍとなるようにしている。
【００３２】
尚、指挿入切欠き１５は、必ずしも隣接扉４′にその上下端間の全体に亘って形成する必要はなく、使用者が指ｆを挿入する特定の部位のみに限定して形成することができる。しかし、意匠性の点では、全体に形成する方が好ましい。
【００３３】
したがって、この実施形態においては、扉４が全閉位置にあるとき、プッシュ式マグネットキャッチ６のスライダ９が収縮位置にロックされており、このことで扉４が全閉位置に保持されている。
【００３４】
この全閉位置にある扉４を開くときには、その扉４の先端側（揺動側端部）の指掛け端部４ａを一旦閉じ方向に押すことで、プッシュ式マグネットキャッチ６のスライダ９のロック状態が解除され、そのスライダ９がばねの付勢力により一定ストロークだけ伸長して伸長状態に移行し、それに伴い、受板１２がスライダ９の磁石部１０に吸着保持されている扉４も全閉位置から開き待機位置まで少し開いて止まる。そして、この開き待機位置にある扉４の指掛け端部４ａ裏側に使用者が指ｆを挿入して、扉４を開き方向に引くことで、プッシュ式マグネットキャッチ６のスライダ９の磁石部１０と扉４の受板１２との吸着が解除されて両者が離れ、扉４が開き待機位置から開かれる。
【００３５】
そのとき、上記全閉位置にある扉４の指掛け端部４ａに、その扉４と面一となる隣接扉４′（近接対向部材）の基端部（軸側端部）が近接状態で対向しており、通常では、この隣接扉４′が邪魔になって扉４の指掛け端部４ａ裏側に指ｆを挿入し辛い。しかし、この実施形態では、その隣接扉４′の基端部の表面角部に傾斜面からなる指挿入切欠き１５が設けられており、この指挿入切欠き１５により、上記扉４の開き待機位置では、その指挿入切欠き１５と扉４の指掛け端部４ａとの間に大きな隙間Ｓが形成される。そのため、開き待機位置にある扉４を開くために、その指掛け端部４ａ裏側に使用者が指ｆを挿入する際、その指ｆの裏が隣接扉４′（近接対向部材）にきつく当たることはなく、扉４と隣接扉４′との間に形成された隙間Ｓにスムーズに指ｆを挿入することができる。このことによって扉４の開き操作が容易となり、収納家具Ｆｎの使い勝手を高めることができる。
【００３６】
また、隣接扉４′（近接対向部材）の表面隅角部に指挿入切欠き１５を設けるだけでよく、扉４と隣接扉４′との間の隙間を大きく設定したり開き操作用の取手を設けたりする必要がなく、収納家具Ｆｎ全体の意匠性やその自由度が損なわれることもない。
【００３７】
（実施形態２）
図７及び図８は実施形態２を示し（尚、以下の各実施形態では、図１〜図４、図６と同じ部分については同じ符号を付してその詳細な説明は省略する）、上記実施形態では室内の壁面に施工される収納家具Ｆｎの扉構造に適用しているのに対し、キッチン用の収納家具Ｆｎの扉構造に適用したものである。
【００３８】
すなわち、この実施形態では、収納家具Ｆｎはキッチンの壁面に施工されるもので、家具本体１の高さ方向の上部及び下部には、上記実施形態１に係る収納家具Ｆｎと同様の、開口部を有する矩形箱状の複数の収納室２，２，…が縦壁１ａ及び横壁１ｂによって区画され、この各収納室２の開口は揺動タイプの扉４により開閉されるようになっている。
【００３９】
家具本体１の高さ方向中間部には、扉４がなくて開放された２つの開放室３，３が左右に並んで形成され、この各開放室３の下部には調理器具等の物置台となるスライドカウンタ１８がスライド機構（図示せず）を介して前側の引出位置と奥側の格納位置との間で前後水平方向（図７では図面と直交する方向）にスライド可能に支持されている。
【００４０】
図８に示すように、このスライドカウンタ１８は天板１９を備え、この天板１９の下面の左右両側には、上記スライド機構が取り付けられる左右の側板２０，２０が、また前端には左右側板２０，２０（一方のみを図示する）の前端間に位置する向板２１がそれぞれコ字状をなすように一体的に固定されている。天板１９及び側板２０，２０の前端面、向板２１の前面には前板２２が一体的に固定され、この前板２２の上下高さは向板２１よりも大きく、上端が天板１９の上面から、また下端が向板２１及び側板２０の下端から、さらに左右外側部が側板２０からそれぞれ外側に若干量だけ突出している。
【００４１】
そして、この各スライドカウンタ１８が格納位置にあるとき、この各スライドカウンタ１８と、その真下に位置する例えば２枚の扉４，４とが面一となるように配置されている。この２枚の扉４，４は各々の家具本体１おける左右外側部、つまり左側扉４の左端部及び右側扉４の右端部がそれぞれ基端部（軸側端部）とされて鉛直方向の揺動軸線を持つ蝶番（図示せず）により揺動可能に支持されている。各扉４の家具本体１おける左右中央部の先端側（揺動側端部）にプッシュ式マグネットキャッチ６の受板１２が固定され、扉４が閉じたときに受板１２に対向する位置の家具本体１の縦壁１ａ（又は横壁１ｂ）に、スライダ９を有するキャッチ本体７が取り付けられている。
【００４２】
この実施形態でのプッシュ式マグネットキャッチ６は実施形態１のものと同じであり、キャッチ本体７におけるスライダ９の磁石部１０で受板１２を吸着保持した状態で、扉４を図８（ａ）に示す全閉位置と、図８（ｂ）に示す開き待機位置との２段階に保持可能であり、スライダ９が収縮位置にロックされているときに扉４を全閉位置に保持し、この全閉位置で扉４を閉じ方向に押してスライダ９を収縮させたときに、ロック機構によるスライダ９の収縮位置でのロックが解除されてスライダ９が伸長位置に伸長して扉４を開き待機位置に移動させる。このようにプッシュ式マグネットキャッチ６によって扉４が開き待機位置にあるときに使用者が該扉４の先端側の上端部からなる指掛け端部４ａに指ｆを掛けて引くことで、扉４が開くようになっている。
【００４３】
この実施形態では、上記各スライドカウンタ１８が格納位置にあるとき、その前板２２が、スライドカウンタ１８の真下に位置する各扉４の上記指掛け端部４ａに近接状態で対向する近接対向部材を構成している。そして、図８（ａ），（ｂ）に示すように、前板２２の下端部には、その表面側（前面側）角部を前板２２の左右端間の全体に亘り斜めに切り欠いてなる傾斜平面状の指挿入切欠き１５が設けられている。
【００４４】
この前板２２（近接対向部材）に設けられた指挿入切欠き１５は、図８（ｂ）に示すように、扉４が上記開き待機位置にあるときに、使用者の指ｆを扉４の指掛け端部４ａ（扉４の先端側の上端部）の裏面側に挿入可能とする隙間Ｓを扉４と前板２２との間に形成するためのものである。この扉４と前板２２との間の隙間Ｓも、実施形態１と同様に、プッシュ式マグネットキャッチ６による扉４の全閉位置及び開き待機位置の間の開き量（キャッチ本体７のスライダ９のストローク量）と、指挿入切欠き１５の切欠き量とによって設定され、その隙間Ｓに指ｆが入るようにしている。その他の構成は上記実施形態１と同じである。
【００４５】
尚、上記指挿入切欠き１５は、必ずしも前板２２の下端部にその左右両端間の全体に亘って形成する必要はなく、使用者が指ｆを挿入する特定の部位のみに限定して形成することができる。しかし、意匠性の点では、全体に形成する方が好ましい。また、意匠性のために、前板２２の上端部にも、その表面側（前面側）角部を指挿入切欠き１５と同様に切り欠いて傾斜面を形成することもできる。
【００４６】
この実施形態においては、図８（ａ）に示すように、各スライドカウンタ１８が格納位置にある状態で、その真下にある各扉４が全閉位置にあるとき、プッシュ式マグネットキャッチ６のスライダ９が収縮位置にロックされている。この全閉位置にある扉４を開くときには、その扉４の先端側（揺動側端部）上端の指掛け端部４ａを閉じ方向に押すことで、プッシュ式マグネットキャッチ６のスライダ９のロック状態が解除され、図８（ｂ）に示すように、そのスライダ９がばねの付勢力により一定ストロークだけ伸長して伸長状態に移行し、それに伴って受板１２がスライダ９の磁石部１０に吸着保持されている扉４も全閉位置から開き待機位置まで少し開いて止まる。この開き待機位置にある扉４の指掛け端部４ａ裏側に使用者が指ｆを挿入して、扉４を開き方向に引くことで、プッシュ式マグネットキャッチ６のスライダ９の磁石部１０と扉４の受板１２との吸着が解除されて両者が離れ、扉４が開き待機位置から開かれる。
【００４７】
そのとき、上記全閉位置にある扉４の指掛け端部４ａには、その扉４と面一となる、スライドカウンタ１８の前板２２（近接対向部材）の下端部が近接状態で対向している。そして、その前板２２の下端部の表面角部に傾斜面からなる指挿入切欠き１５が設けられており、この指挿入切欠き１５により、上記扉４の開き待機位置では、その指挿入切欠き１５と扉４の指掛け端部４ａとの間に大きな隙間Ｓが形成される。そのため、開き待機位置にある扉４を開くために、その指掛け端部４ａ裏側に使用者が指ｆを挿入する際、その指ｆの裏が前板２２に当たることはなく、扉４と前板２２との間に形成された隙間Ｓにスムーズに指ｆを挿入することができる。
【００４８】
また、前板２２下端部の表面隅角部に指挿入切欠き１５を設けるだけでよく、扉４と隣接扉４′との間の隙間を大きくしたり取手を設けたりする必要がなく、収納家具Ｆｎ全体の意匠性やその自由度が損なわれることはない。
【００４９】
（実施形態３）
図９は実施形態３を示す。この実施形態では、収納家具Ｆｎは天板部２５を有する家具本体１を備えている。この家具本体１には天板部２５の下側に、開口部を有する収納室２が設けられ、この収納室２の開口部は、上記実施形態２と同様に、左右側端部で鉛直方向の揺動軸線を持つ蝶番（図示せず）により揺動可能に支持された扉４により開閉される（尚、左右水平方向の揺動軸線を持つ蝶番により揺動可能に支持されたフラップ扉であってもよい）。扉４の先端側（揺動側端部）にプッシュ式マグネットキャッチ６の受板１２が固定され、扉４が閉じたときに受板１２に対向する位置の家具本体１の縦壁１ａに、スライダ９を有するキャッチ本体７が取り付けられている。
【００５０】
この実施形態でのプッシュ式マグネットキャッチ６も実施形態１のものと同じであり、スライダ９が収縮位置にロックされているときに扉４を全閉位置に保持し、この全閉位置で扉４を閉じ方向に押してスライダ９を収縮させたときに、ロック機構によるスライダ９の収縮位置でのロックが解除されてスライダ９が伸長位置に伸長し、扉４を開き待機位置に移動させる。このようにプッシュ式マグネットキャッチ６によって扉４が開き待機位置にあるときに使用者が該扉４の先端側上端部からなる指掛け端部４ａに指ｆを掛けて引くことで、扉４が開くようになっている。
【００５１】
この実施形態では、上記天板部２５はその下側に位置する全閉位置にある扉４と直交するように配置されており、この天板部２５が扉４の上記指掛け端部４ａに近接状態で対向する近接対向部材を構成している。天板部２５には、その裏面側（下面側）の前側角部を天板部２５の左右端間の全体に亘り斜めに切り欠いてなる傾斜面平面状の指挿入切欠き１５が設けられている。
【００５２】
この天板部２５（近接対向部材）に設けられた指挿入切欠き１５は、扉４が上記開き待機位置にあるときに、使用者の指ｆを扉の指掛け端部４ａ（扉４の上端部）の裏面側に挿入可能とする隙間Ｓを扉４と天板部２５との間に形成するためのものである。この扉４と天板部２５との間の隙間Ｓも、実施形態１と同様に、プッシュ式マグネットキャッチ６による扉４の全閉位置及び開き待機位置の間の開き量（キャッチ本体７のスライダ９のストローク量）と、指挿入切欠き１５の切欠き量とによって設定され、その隙間Ｓに指ｆが入るようにしている。
【００５３】
その他の構成は上記実施形態１と同じである。よって、この実施形態でも実施形態１と同様の作用効果を奏することができる。
【００５４】
（その他の実施形態）
上記実施形態３では、天板部２５と、その下側に配置され、鉛直方向の揺動軸線を持つ蝶番５により揺動可能に支持された扉４とを備えた収納家具Ｆｎの扉構造について説明したが、本発明は、側板と、その左右一側に配置され、左右端部で鉛直方向の揺動軸線を持つ蝶番により揺動可能に支持された扉とを備えた収納家具の扉構造についても適用することができる。
【００５５】
また、上記各実施形態では、指挿入切欠き１５を平面状の傾斜面で構成しているが、図５に示すように、指挿入切欠き１５を円弧面で構成してもよく、各実施形態と同様の作用効果を奏することができる。
【産業上の利用可能性】
【００５６】
本発明は、収納家具全体の意匠性やその自由度を損なうことなく、扉と近接対向部材との間に形成された隙間にスムーズに指を挿入して、収納家具の使い勝手を高めることができるので、極めて有用であり、産業上の利用可能性が高い。
【符号の説明】
【００５７】
Ｆｎ  収納家具
ｆ  指
Ｓ  隙間
１  家具本体
２  収納室
３  開放室
４  扉
４′  隣接扉（近接対向部材）
４ａ  指掛け端部
４ｂ  傾斜面
５  蝶番
６  プッシュ式マグネットキャッチ
９  スライダ
１０  磁石部
１２  受板（磁性体）
１５  指挿入切欠き
１８  スライドカウンタ
２２  前板（近接対向部材）
２５  天板部（近接対向部材）
【図１】
0005812871.tif 000002
【図２】
0005812871.tif 000003
【図３】
0005812871.tif 000004
【図４】
0005812871.tif 000005
【図５】
0005812871.tif 000006
【図６】
0005812871.tif 000007
【図７】
0005812871.tif 000008
【図８】
0005812871.tif 000009
【図９】
0005812871.tif 000010